【手続補正書】
【提出日】平成20年6月5日(2008.6.5)
【手続補正１】
【補正対象書類名】明細書
【補正対象項目名】特許請求の範囲
【補正方法】変更
【補正の内容】
【特許請求の範囲】
【請求項１】  フルオロカーボン界面活性剤が０．１重量％以上存在するときには炭化水素界面活性剤が０．０８重量％以下で存在するという条件で、約０．０１重量％から約０．５重量％の炭化水素界面活性剤および０．０００１重量％から約０．３重量％のフルオロカーボン界面活性剤を含む組成物であって、前記組成物が、それが添加される塗料またはプリント塗料の表面張力を低下させることを特徴とする組成物。
【請求項２】  炭化水素界面活性剤のフルオロカーボン界面活性剤に対する重量比が少なくとも２であることを特徴とする請求項１に記載の組成物。
【請求項３】  フルオロカーボン界面活性剤が、
Ｒｆ−ＣＨ２ＣＨ２−Ｏ（ＣＨ２ＣＨ２Ｏ）ｘ−Ｈ
（式中、ｘは２から約２０であり、Ｒｆは構造ＣＦ３−（ＣＦ２ＣＦ２）ｎのパーフルオロ化炭化水素であり、ｎは２から約６である。）の構造のフルオロアルキルエトキシレートであることを特徴とする請求項１に記載の組成物。
【請求項４】  フルオロカーボン界面活性剤が約０．００１重量％から約０．１重量％で存在することを特徴とする請求項３に記載の組成物。
【請求項５】  基材表面に塗布する際の塗料またはプリント塗料の表面張力を低下させるための方法であって、フルオロカーボン界面活性剤が０．１重量％以上存在するときには炭化水素界面活性剤が０．０８重量％以下で存在するという条件で、約０．１重量％から約０．５重量％の炭化水素界面活性剤および約０．０００１重量％から約０．３重量％のフルオロカーボン界面活性剤を含む組成物を、前記塗料またはプリント塗料へ添加することを含むことを特徴とする方法。
【請求項６】  塗料またはプリント塗料の基材表面への塗布１０秒以内に表面張力を低下させることを特徴とする請求項５に記載の方法。
【請求項７】  フルオロカーボン界面活性剤が、
Ｒｆ−ＣＨ２ＣＨ２−Ｏ（ＣＨ２ＣＨ２Ｏ）ｘ−Ｈ
（式中、ｘは２から約２０であり、Ｒｆは構造ＣＦ３−（ＣＦ２ＣＦ２）ｎのパーフルオロ化炭化水素であり、ｎは２から約６である。）の構造のフルオロアルキルエトキシレートであることを特徴とする請求項５に記載の方法。
【請求項８】  基材が、有機ポリマー、金属、紙、紙製品、天然または合成織物、革、建築資材、積層材、接着剤、フィルム、植物、およびその部分、木材、石、コンクリート、れんが、セラミックス、タイル、ガラス、化粧しっくい、石こう、ドライ壁、パーティクルボード、チップボード、花崗岩、大理石、板石、および砂岩からなる群より選択されることを特徴とする請求項５に記載の方法。
【請求項９】  基材表面に塗布する際の塗料またはプリント塗料の表面張力を低下させるための方法であって、塗料またはプリント塗料が炭化水素界面活性剤を含有し、かつフルオロカーボン界面活性剤が０．１重量％以上存在するときには前記炭化水素界面活性剤が０．０８重量％以下で存在するという条件で、約０．０００１重量％から約０．３重量％のフルオロカーボン界面活性剤を含む組成物を、前記塗料またはプリント塗料へ添加することを含むことを特徴とする方法。
【請求項１０】  塗料またはプリント塗料の基材表面への塗布１０秒以内に表面張力を低下させることを特徴とする請求項９に記載の方法。
【手続補正２】
【補正対象書類名】明細書
【補正対象項目名】００５０
【補正方法】変更
【補正の内容】
【００５０】
添加されたフルオロ界面活性剤が市販の有標配合物の表面張力対時間プロフィールに及ぼす効果は、より低い濃度範囲においては、脱イオン水における先の実施例ほど劇的ではない。それは、配合物中に界面活性剤を吸着する界面（固体／液体および液体／液体）が存在するため、また系の粘度が高く界面活性剤の拡散を遅くしているためである。
本発明は以下の実施の態様を含むものである。
１．  フルオロカーボン界面活性剤が０．１重量％以上存在するときには炭化水素界面活性剤が０．０８重量％以下で存在するという条件で、約０．０１重量％から約０．５重量％の炭化水素界面活性剤および０．０００１重量％から約０．３重量％のフルオロカーボン界面活性剤を含む組成物であって、前記組成物が、それが添加される塗料またはプリント塗料の表面張力を低下させることを特徴とする組成物。
２．  炭化水素界面活性剤のフルオロカーボン界面活性剤に対する重量比が少なくとも２であることを特徴とする前記１に記載の組成物。
３．  炭化水素界面活性剤のフルオロカーボン界面活性剤に対する重量比が少なくとも５であることを特徴とする前記１に記載の組成物。
４．  フルオロカーボン界面活性剤が、
Ｒｆ−ＣＨ２ＣＨ２−Ｏ（ＣＨ２ＣＨ２Ｏ）ｘ−Ｈ
（式中、ｘは２から約２０であり、Ｒｆは構造ＣＦ３−（ＣＦ２ＣＦ２）ｎのパーフルオロ化炭化水素であり、ｎは２から約６である。）の構造のフルオロアルキルエトキシレートであることを特徴とする前記１に記載の組成物。
５．  フルオロカーボン界面活性剤が約０．００１重量％から約０．１重量％で存在することを特徴とする前記４に記載の組成物。
６．  基材表面に塗布する際の塗料またはプリント塗料の表面張力を低下させるための方法であって、フルオロカーボン界面活性剤が０．１重量％以上存在するときには炭化水素界面活性剤が０．０８重量％以下で存在するという条件で、約０．１重量％から約０．５重量％の炭化水素界面活性剤および約０．０００１重量％から約０．３重量％のフルオロカーボン界面活性剤を含む組成物を、前記塗料またはプリント塗料へ添加することを含むことを特徴とする方法。
７．  塗料またはプリント塗料の基材表面への塗布１０秒以内に表面張力を低下させることを特徴とする前記６に記載の方法。
８．  フルオロカーボン界面活性剤が、
Ｒｆ−ＣＨ２ＣＨ２−Ｏ（ＣＨ２ＣＨ２Ｏ）ｘ−Ｈ
（式中、ｘは２から約２０であり、Ｒｆは構造ＣＦ３−（ＣＦ２ＣＦ２）ｎのパーフルオロ化炭化水素であり、ｎは２から約６である。）の構造のフルオロアルキルエトキシレートであることを特徴とする前記６に記載の方法。
９．  基材が、有機ポリマー、金属、紙、紙製品、天然または合成織物、革、建築資材、積層材、接着剤、フィルム、および植物ならびにその部分からなる群より選択されることを特徴とする前記６に記載の方法。
１０．  基材が、木材、石、コンクリート、れんが、セラミックス、タイル、ガラス、化粧しっくい、石こう、ドライ壁、パーティクルボード、チップボード、花崗岩、大理石、板石および砂岩からなる群より選択される建築資材であることを特徴とする前記９に記載の方法。
１１．  基材表面に塗布する際の塗料またはプリント塗料の表面張力を低下させるための方法であって、塗料またはプリント塗料が炭化水素界面活性剤を含有し、かつフルオロカーボン界面活性剤が０．１重量％以上存在するときには前記炭化水素界面活性剤が０．０８重量％以下で存在するという条件で、約０．０００１重量％から約０．３重量％のフルオロカーボン界面活性剤を含む組成物を、前記塗料またはプリント塗料へ添加することを含むことを特徴とする方法。
１２．  炭化水素界面活性剤が約０．０１重量％から約０．５重量％で存在することを特徴とする前記１１に記載の方法。
１３．  塗料またはプリント塗料の基材表面への塗布１０秒以内に表面張力を低下させることを特徴とする前記１１に記載の方法。